(57)【特許請求の範囲】
【請求項１】
端子ボックス（５３）が下方突設された太陽電池（４）を、金属屋根材（２）の上面に添って配置するようにした太陽電池モジュールにおいて、金属屋根材（２）に、端子ボックス（５３）を収納する収納凹部（１２）が設けられ、
前記収納凹部（１２）は、底壁（１４）を備えると共に、底壁（１４）の軒側端部から金属屋根材（２）の屋根材本体（１１）に向けて傾斜した軒側傾斜壁（１５ｂ）を備え、金属屋根材（２）を野地板（９）上に配置したとき、収納凹部（１２）の底壁（１４）が軒側下がりに傾斜すると共に軒側傾斜壁（１５ｂ）が略水平状態又はやや軒側下がりに傾斜するように構成されていることを特徴とする太陽電池モジュール。
【請求項２】
端子ボックス（５３）が下方突設された太陽電池（４）を、金属屋根材（２）の上面に添って配置するようにした太陽電池モジュールにおいて、金属屋根材（２）に、端子ボックス（５３）を挿通する開口部（８１）が設けられ、端子ボックス（５３）を収納する収納凹部（１２）が金属屋根材（２）とは別体に構成されて、前記開口部（８１）を塞ぐように金属屋根材（２）に取り付けられ、
前記収納凹部（１２）は、底壁（１４）を備えると共に、底壁（１４）の軒側端部から金属屋根材（２）の屋根材本体（１１）に向けて傾斜した軒側傾斜壁（１５ｂ）を備え、金属屋根材（２）を野地板（９）上に配置したとき、収納凹部（１２）の底壁（１４）が軒側下がりに傾斜すると共に軒側傾斜壁（１５ｂ）が略水平状態又はやや軒側下がりに傾斜するように構成されていることを特徴とする太陽電池モジュール。
【請求項３】
前記軒側傾斜壁（１５ｂ）の軒側端部に、水抜き孔（８８）が設けられていることを特徴とする請求項１又は２に記載の太陽電池モジュール。
【請求項４】
金属屋根材（２）の軒側端部に、下方に折曲された係止片（２１）と、係止片（２１）の下端から棟側に折り返された折り返し片（２２）とが設けられ、金属屋根材（２）の前記開口部（８１）の棟側開口縁に、取付片（８２）が設けられ、前記金属屋根材（２）とは別体に構成した収納凹部（１２）に、屋根材本体（１１）の軒側の下面に沿う軒側接当部（８４ｂ）と、該軒側接当部（８４ｂ）の軒側端部から下方に折曲した係合片（８７）とが設けられ、収納凹部（１２）の棟側を金属屋根材（２）の取付片（８２）に締結具（８９）により締結すると共に、前記軒側接当部（８４ｂ）を屋根材本体（１１）の軒側の下面に沿わせかつ係合片（８７）を前記係止片（２１）の内面に沿わせるように、収納凹部（１２）の軒側を金属屋根材（２）の軒側に嵌合することにより、前記金属屋根材（２）とは別体に構成した収納凹部（１２）が、金属屋根材（２）に固着されていることを特徴とする請求項２に記載の太陽電池モジュール。
【発明の詳細な説明】
【０００１】
【発明の属する技術分野】
本発明は、建物の屋根に配置される太陽電池モジュールに関する。
【０００２】
【従来の技術】
屋根に太陽電池を設置する場合、金属屋根材の設置と太陽電池の設置とを別個に行なうと、金属屋根材を設置した後に太陽電池を設置しなければならず、金属屋根材及び太陽電池の設置作業が非常に面倒になる。また、設置した金属屋根材から太陽電池が浮いた状態になり、太陽電池は金属屋根材に比べて風雨等の影響を受け易くなるし、浮いた状態の太陽電池があるために屋根全体の外観上の体裁も悪くなるという問題も生じる。
【０００３】
そこで、屋根に太陽電池を設置する場合、太陽電池を金属屋根材の上面に添って配置した太陽電池モジュールを構成し、この太陽電池モジュールを建物の野地板上に配置するようにすることが考えられる。この場合、金属屋根材と共に太陽電池を簡単に設置でき、しかも太陽電池が金属屋根材の上面に添うため、太陽電池によって屋根全体の外観上の体裁も悪くならない。
しかし、太陽電池の下面には、下方突出した端子ボックスがあるため、太陽電池を金属屋根材の上面に添って配置するには、金属屋根材に端子ボックスを挿通するたの挿通窓を金属屋根材に設ける必要があり、このため金属屋根材に設けた挿通窓から金属屋根材の下面側に雨水が漏水し、防水上の問題が生じることとなる。
【０００４】
【発明が解決しようとする課題】
本発明は、上記問題点に鑑み、漏水のおそれのない太陽電池モジュールを提供することを目的とする。
【０００５】
【課題を解決するための手段】
この技術的課題を解決するための本発明の技術的手段は、端子ボックス５３が下方突設された太陽電池４を、金属屋根材２の上面に添って配置するようにした太陽電池モジュールにおいて、
金属屋根材２に、端子ボックス５３を収納する収納凹部１２が設けられている点にある。
従って、金属屋根材２に収納凹部１２があるため、太陽電池４の端子ボックス５３を収納凹部１２に収納することにより、金属屋根材２に端子ボックス挿入窓を形成することなく、太陽電池４を金属屋根材２の上面に添って配置することができて、端子ボックス挿入窓が不要になり、このため従来のように端子ボックス挿入窓から雨水が漏水するようなことがなくなる。
【０００６】
また、本発明の技術的手段は、端子ボックス５３が下方突設された太陽電池４を、金属屋根材２の上面に添って配置するようにした太陽電池モジュールにおいて、
金属屋根材２に、端子ボックス５３を挿通する開口部８１が設けられ、端子ボックス５３を収納する収納凹部１２が金属屋根材２とは別体に構成されて、前記開口部８１を塞ぐように金属屋根材２に取り付けられている点にある。
従って、金属屋根材２に収納凹部１２があるため、太陽電池４の端子ボックス５３を収納凹部１２に収納することにより、太陽電池４を金属屋根材２の上面に添って配置することができる。また、金属屋根材２に端子ボックス５３を挿通する開口部８１が設けられているにも拘わらず、端子ボックス５３を収納する収納凹部１２で開口部８１を塞ぐことができ、このため端子ボックス５３を挿通する開口部８１等から雨水が漏水するようなことがなくなり、確実な防水をすることができる。
【０００７】
また、本発明の技術的手段は、前記収納凹部１２は、底壁１４を備えると共に、底壁１４の軒側端部から金属屋根材２の屋根材本体１１に向けて傾斜した軒側傾斜壁１５ｂを備え、金属屋根材２を野地板９上に配置したとき、収納凹部１２の底壁１４が軒側下がりに傾斜すると共に軒側傾斜壁１５ｂが略水平状態又はやや軒側下がりに傾斜するように構成されている点にある。
従って、収納凹部１２に雨水が侵入しても、その侵入した雨水は底壁１４から軒側傾斜壁１５ｂ側に流れて、端子ボックス５３が雨水によって濡れる恐れが非常に少なくなり、端子ボックス５３の防水をより確実なものになし得る。
【０００８】
また、本発明の技術的手段は、前記軒側傾斜壁１５ｂの軒側端部に、水抜き孔８８が設けられている点にある。
従って、侵入した雨水を水抜き孔８８を通して、下段の太陽電池モジュール１金属屋根材２の横樋１８にスムーズに排出することができる。
また、本発明の技術的手段は、金属屋根材２の軒側端部に、下方に折曲された係止片２１と、係止片２１の下端から棟側に折り返された折り返し片２２とが設けられ、金属屋根材２の前記開口部８１の棟側開口縁に、取付片８２が設けられ、前記金属屋根材２とは別体に構成した収納凹部１２に、屋根材本体１１の軒側の下面に沿う軒側接当部８４ｂと、該軒側接当部８４ｂの軒側端部から下方に折曲した係合片８７とが設けられ、収納凹部１２の棟側を金属屋根材２の取付片８２に締結具８９により締結すると共に、前記軒側接当部８４ｂを屋根材本体１１の軒側の下面に沿わせかつ係合片８７を前記係止片２１の内面に沿わせるように、収納凹部１２の軒側を金属屋根材２の軒側に嵌合することにより、前記金属屋根材２とは別体に構成した収納凹部１２が、金属屋根材２に固着されている点にある。
【０００９】
従って、金属屋根材２とは別体に構成した収納凹部１２を、金属屋根材２の開口部８１を塞ぐように簡単かつ確実に取り付けることができる。
また、本発明の技術的手段は、端子ボックス５３が下方突設された太陽電池４を、金属屋根材２の上面に添って配置するようにした太陽電池モジュールにおいて、
金属屋根材２に端子ボックス５３を挿通する挿通窓７１が設けられ、金属屋根材２の挿通窓７１の棟側に水抜き孔７２が設けられ、金属屋根材２の下方に、水切り７２が、端子ボックス５３を収納すると共に挿通窓７１及び水抜き孔７２の下方に位置するように設けられている点にある。
【００１０】
従って、金属屋根材２に水抜き孔７２があるため、太陽電池４と金属屋根材２との間に雨水が侵入しても、挿通窓７１又は端子ボックス５３に達する前に水抜き孔７２から金属屋根材２の下方に流れて、水切り７３により受けることができる。このため、挿入窓７１から雨水が漏水するようなことがなくなり、確実な防水をすることができる。
また、本発明の技術的手段は、端子ボックス５３が下方突設された太陽電池４を、金属屋根材２の上面に添って配置するようにした太陽電池モジュールにおいて、
金属屋根材２に、端子ボックス５３を挿通する挿通窓７１が設けられ、金属屋根材２の挿通窓７１の開口縁部に、防水シール７５が、挿通窓７１の開口縁部と太陽電池４の下面との間を塞ぐように設けられている点にある。
【００１１】
従って、太陽電池４と金属屋根材２との間に雨水が侵入しても、防水シール７５によって挿通窓７１から雨水が漏水しないように確実に防水をすることができる。
【００１２】
【発明の実施の形態】
以下、本発明の実施の形態を図面に基づいて説明する。
図１〜図３において、１は太陽電池モジュールで、金属屋根材２とベース３と太陽電池４と左右一対の吊り子５と左右一対の支持板６と縦樋７と左右一対のストッパー８とを備える。
この太陽電池モジュール１（金属屋根材２）は、図５に示すように野地板９上に多数配置され、例えば上段（棟側）の太陽電池モジュール１（金属屋根材２）と下段（軒側）の太陽電池モジュール１（金属屋根材２）とは左右方向に１／２モジュールずらされ、多数の太陽電池モジュール１（金属屋根材２）は千鳥状に配置される。なお、太陽電池モジュール１の配置は千鳥状に限らず、ストレートの配置であってもよい。
【００１３】
各金属屋根材２は平坦状の屋根材本体１１を備え、屋根材本体１１の中央部に長方形状の収納凹部１２が設けられている。各金属屋根材２の左右両端に、屋根材本体１１から下方に折曲した折曲縁部１３が設けられている。
金属屋根材２の収納凹部１２は、図１に示すように底壁１４と屋根材本体１１から底壁１４に向けて下降傾斜した傾斜壁１５とを備え、傾斜壁１５は、棟側傾斜壁と軒側傾斜壁１５ｂと一対の左右傾斜壁とを矩形状に有し、軒側傾斜壁１５ｂは、底壁１４の軒側に底壁１４から軒側に向けて前上がりに緩やかに傾斜しており、図１に示すように金属屋根材２を野地板９上に配置したとき、収納凹部１２の底壁１４が軒側下がりに傾斜すると共に軒側傾斜壁１５ｂが略水平状態又はやや軒側下がりに傾斜するようになっている。軒側傾斜壁１５ｂにバーリング加工による通孔１９が設けられ、通孔１９の開口縁部には上方突出した筒状突起１９ａが設けられている。
【００１４】
各金属屋根材２の棟側端部に、屋根材本体１１から上側にコの字状又はＵ字状に折り返された水返し１６が設けられ、水返し１６の上側平坦部が棟側重合片１７とされている。また、各金属屋根材２の棟側端部に、水返し１６から棟側に断面Ｕ字状に延長した横樋１８が設けられている。
金属屋根材２の軒側端部に、係止片２１と折り返し片２２と軒側重合片２３とが設けられている。係止片２１は屋根材本体１１の軒側端部から下方に折曲され、折り返し片２２は係止片２１の下端から棟側に折り返され、軒側重合片２３は、折り返し片２２の先端側から下側に折り返して形成されている。従って、折り返し片２２は、下側に折り返して棟側に突出するように設けられ、軒側重合片２３は棟側に突出しかつ軒側重合片２３の上方が折り返し片２２で覆われている。
【００１５】
なお、左右に隣合う金属屋根材２の折曲縁部１３同士は適当な接続手段によって互いに密着して接続される。
前記ベース３は金属屋根材２の踏み強度や断熱性を保つためのもので、発砲樹脂等で構成され、各金属屋根材２の下方に配置されている。
ベース３は軒側端部から棟側端部に向けて序々に肉厚が薄くなる楔形に形成されている。ベース３の左右方向中央部に、金属屋根材２の収納凹部１２に対応して嵌合凹部２７が設けられている。ベース３上面の左右方向の一端部に樋収納凹部３０が水流れ方向に形成されている。
【００１６】
吊り子５は、各ベース３の軒側端部に左右一対ずつ設けられている。各吊り子５は、野地板９に固定するための固定部３５と、ベース３の下面に配置される固着部３６と、固定部３５から立ち上がった前立ち上がり部３７と、固着部３６から立ち上がった後立ち上がり部３８と、前立ち上がり部３７と後立ち上がり部３８との間の受け部３９とを有し、受け部３９にネジ孔４０が左右一対設けられている。
支持板６は、各ベース３の上面に左右一対ずつ設けられている。各支持板６は、支持板６の棟側端部に、下側にＬの字状に折れ曲がった係合片４３と、上側にＬ字状に切り起こし形成した係止片４４とが設けられ、支持板６の軒側端部に、下方に折れ曲がった折曲片４５が設けられ、この折曲片４５にネジ孔４６が設けられ、支持板６の軒側中途部に取付孔４７が前記ネジ孔４０に対応して左右一対設けられている。
【００１７】
左右一対の支持板６は、ベース３の上面に添うように配置されると共に、各支持板６の軒側中途部が吊り子５の受け部３９上に配置され、ネジ孔４０に螺合する止めネジ５０により左右一対の支持板６の軒側中途部が左右一対の吊り子５に対して夫々締め付け固定され、これにより左右一対の支持板６と左右一対の吊り子５との間でベース３を挟持し、ベース３、左右一対の支持板６及び左右一対の吊り子５が一体となるように組み立てられている。
太陽電池４は、ガラス５１の下面に太陽電池セル５２を接着してなり、太陽電池４の下面中央部に端子ボックス５３が下方突出されている。
【００１８】
なお、金属屋根材２に太陽電池４を設けない場合は、金属屋根材２には収納凹部１２は不要となり、金属屋根材２の収納凹部１２は省略される。また、ベース３の嵌合凹部２７も省略してもよい。
太陽電池４の端子ボックス５３が金属屋根材２の収納凹部１２に収納されて、収納凹部１２はベース２３の嵌合凹部２７に嵌合され、この状態で太陽電池４は金属屋根材２の屋根材本体１１の上面に夫々載置されて、屋根材本体１１の上面に図１に示す接着剤２８により接着されている。太陽電池４の端子ボックス５３から突出した一対のリード線５５が収納凹部１２の通孔１９から金属屋根材２の下面側に引き出されている。一対のリード線５５の先端に防水コネクタ５５ａが設けられており、通孔１９はこの防水コネクタ５５ａを挿通できるように直径２０ｍｍ程度の大きさに形成されている。この筒状突起１９ａの高さは４ｍｍ程度であり、仮に収納凹部１２に雨水が侵入することがあっても、雨水を筒状突起１９ａで堰き止めることにより、通孔１９から金属屋根材２の下面側には雨水が侵入しないようになっている。
【００１９】
金属屋根材２の軒側端部に、金属屋根材２に対して太陽電池４の軒側への移動を規制するストッパ−８が左右一対設けられている。前記太陽電池４の棟側端部は金属屋根材２の屋根材本体１１と前記棟側重合片１７との間で嵌合保持され、太陽電池４の軒側端部は、前記ストッパー８と屋根材本体１１との間で嵌合保持されている。
前記ストッパー８は、図３に示すように取付孔を有する取付部５９と押さえ部６０とを有し、ネジ孔４６に螺合する止めネジ５４によって金属屋根材２の係止片２１と共に支持板６の折曲片４５に締め付け固定され、これにより金属屋根材２の軒側端部が支持板６に固定されている。また、吊り子５の受け部３９上に支持板６を介して金属屋根材２の軒側端部が載せられ、これにより吊り子５で金属屋根材２の軒側端部を野地板９から浮かせて、金属屋根材２を野地板９上に配置する際に、上段の金属屋根材２の軒側端部を持ち上げることなく、該上段の金属屋根材２の軒側端部の下に、下段側の金属屋根材２の棟側端部が挿入できるようになっている。金属屋根材２の棟側端部は、横樋１８が係止片４４に係合されて、係止片４４により金属屋根材２の棟側端部が支持板６乃至ベース３から上方に浮かないように規制されている。
【００２０】
縦樋７は、ベース２３の樋収納凹部３０に嵌合保持され、両面接着テープ等により樋収納凹部３０の底面に接着固定されている。ベース３の樋収納凹部３０は金属屋根材２の左右方向外端よりも左右方向外方に突出され、縦樋７の左右方向の外端部は金属屋根材２の左右方向外端よりも左右方向外方に突出されて、左右に隣合う太陽電池モジュール１の金属屋根材２の対向端部の下方に位置し、縦樋７が左右に隣合う金属屋根材２の対向端部間に股がるようになっている。また、左右に隣合う金属屋根材２の折曲縁部１３が上側から縦樋７内に挿入されている。
【００２１】
図３に示すように上段の太陽電池モジュール１の軒側端部の下方に、下段の太陽電池モジュール１の棟側端部が挿入され、これにより下段の太陽電池モジュール１の支持板６の係合片４３及び係止片４４が上段の太陽電池モジュール１の吊り子５の前立ち上がり部３７に接当され、上段の金属屋根材２の軒側重合片２３と下段の金属屋根材２の棟側重合片１７とが、軒側重合片２３を上にし棟側重合片１７を下にして上下に重合されている。
重合された上段の金属屋根材２の軒側重合片２３と下段の金属屋根材２の棟側重合片１７とは結合部材６１によって上下に挟持されると共に、重合された軒側重合片２３と棟側重合片１７との先端間が軒側から塞がれている。
【００２２】
そして、上段の金属屋根材２の折り返し片２２が、上段の金属屋根材２の軒側重合片２３と下段の金属屋根材２の棟側重合片１７との重合部分を結合部材６１を含めて、上方から覆っている。
上記実施の形態によれば、太陽電池モジュール１を設置する場合、作業者は棟側を向いた状態で、野地板９上に太陽電池モジュール１（金属屋根材２）を棟側から順次配置し、吊り子５の固定部３５の取付孔を利用して、釘６６で吊り子５の固定部３５を野地板９及び垂木６７に固定する。
【００２３】
そして、金属屋根材２に収納凹部１２があるため、太陽電池４の端子ボックス５３を収納凹部１２に収納することにより、金属屋根材２に端子ボックス挿入窓を形成することなく、太陽電池４を金属屋根材２の上面に添って配置することができて、端子ボックス挿入窓が不要になり、このため端子ボックス挿入窓から雨水が漏水するようなことがなくなり、確実な防水をすることができる。
しかも、金属屋根材２を野地板９上に配置したとき、収納凹部１２の底壁１４が軒側下がりに傾斜すると共に、軒側傾斜壁１５ｂが略水平状態又はやや軒側下がりに傾斜するようになっているので、収納凹部１２に雨水が侵入しても、その侵入した雨水は底壁１４から軒側傾斜壁１５ｂ側に流れるため、端子ボックス５３が雨水によって濡れる恐れが非常に少なくなる。また、軒側傾斜壁１５ｂに設けた通孔１９の開口縁部には上方突出した筒状突起１９ａが設けられているので、収納凹部１２に侵入した雨水を筒状突起１９ａで堰き止めることにより、通孔１９から金属屋根材２の下面側に雨水が不測に侵入しなくなるし、通孔１９から端子ボックス５３から突出したリード線５５にも流れなくなり、リード線５５の防水をより確実なものになし得る。
【００２４】
なお、前記実施の形態の場合、後述する図６〜図８の実施の形態の場合と同様に、収納凹部１２の軒側傾斜壁１５ｂの軒側端部に、水抜き孔８８を設けるようにしてもよい。
図６〜図８は他の実施の形態を示し、金属屋根材２の屋根材本体１１に、端子ボックス５３を挿通する開口部８１が設けられ、端子ボックス５３を収納する収納凹部１２が金属屋根材２とは別体に構成され、収納凹部１２が、前記開口部８１を塞ぐように金属屋根材２に取り付けられている。
【００２５】
金属屋根材２の軒側端部に、前記実施の形態の場合と同様に屋根材本体１１から下方に折曲された係止片２１と、係止片２１の下端から棟側に折り返された折り返し片２２と、折り返し片２２の先端側から下側に折り返された軒側重合片２３とが設けられている。また、金属屋根材２の前記開口部８１の棟側開口縁に、下方に傾斜突出した取付片８２が設けられている。
前記金属屋根材２とは別体に構成した収納凹部１２は、金属屋根材２の前記開口部８１の開口縁部の下面に接当される接当部８４と、該接当部８４から下方に傾斜した傾斜壁１５と、金属屋根材２の屋根材本体１１に略平行な底壁１４とを備え、接当部８４の軒側端部に、下方に折曲した係合片８７が設けられている。
【００２６】
接当部８４は、棟側接当部８４ａと軒側接当部８４ｂと一対の左右接当部８４ｃとを矩形状に有し、傾斜壁１５は、棟側傾斜壁１５ａと軒側傾斜壁１５ｂと一対の左右傾斜壁１５ｃとを矩形状に有している。軒側傾斜壁１５ｂは、底壁１４の軒側端部から金属屋根材２の屋根材本体１１に向けて緩やかに傾斜し、該軒側傾斜壁１５ｂに、前記実施の形態の場合と同様に、バーリング加工による通孔１９が設けられ、通孔１９の開口縁部には上方突出した筒状突起１９ａが設けられている。また、軒側傾斜壁１５ｂの軒側端部に、水抜き孔８８が設けられている。この水抜き孔８８は、図示省略しているが、例えば下段の太陽電池モジュール１（金属屋根材２）の横樋１８の上方に位置しており、収納凹部１２に雨水が侵入した場合、この侵入した雨水を水抜き孔８８を通して下段の太陽電池モジュール１（金属屋根材２）の横樋１８にスムーズに排出できるようになっている。
【００２７】
前記軒側接当部８４ｂは、金属屋根材２の前記開口部８１の軒側開口縁部から屋根材本体１１の軒側端部に亘る下面に沿い、係合片８７が金属屋根材２の前記係止片２１の内面に沿っており、収納凹部１２の軒側傾斜壁１５ｂが金属屋根材２の取付片にビス等の締結具８９により締結されると共に、軒側接当部８４ｂを屋根材本体１１の軒側の下面に沿わせかつ係合片８７を金属屋根材２の係止片２１の内面に沿わせるように、収納凹部１２の軒側を金属屋根材２の軒側に嵌合させることにより、前記金属屋根材２とは別体に構成した収納凹部１２が、金属屋根材２に着脱自在に固着されている。
【００２８】
そして、金属屋根材２を野地板９上に配置したとき、収納凹部１２の底壁１４が軒側下がりに傾斜すると共に軒側傾斜壁１５ｂが略水平状態又はやや軒側下がりに傾斜するようになっている。
その他の点は前記実施の形態の場合と同様の構成である。
上記実施の形態によれば、金属屋根材２の屋根材本体１１に、端子ボックス５３を挿通する開口部８１が設けられ、端子ボックス５３を収納する収納凹部１２が金属屋根材２とは別体に構成され、収納凹部１２が、前記開口部８１を塞ぐように金属屋根材２に取り付けられているため、太陽電池４の端子ボックス５３を収納凹部１２に収納することにより、太陽電池４を金属屋根材２の上面に添って配置することができる。また、金属屋根材２に端子ボックス５３を挿通する開口部８１が設けられているにも拘わらず、端子ボックス５３を収納する収納凹部１２で開口部８１を塞ぐことができ、このため端子ボックス５３を挿通する開口部８１等から雨水が漏水するようなことがなくなり、確実な防水をすることができる。
【００２９】
しかも、金属屋根材２を野地板９上に配置したとき、収納凹部１２の底壁１４が軒側下がりに傾斜すると共に傾斜壁１５が略水平状態又はやや軒側下がりに傾斜するようになっているので、収納凹部１２に雨水が侵入しても、その侵入した雨水は底壁１４から軒側傾斜壁１５ｂ側に流れて、端子ボックス５３が雨水によって濡れる恐れが非常に少なくなるし、侵入した雨水を水抜き孔８８を通して、下段の太陽電池モジュール１（金属屋根材２）の横樋１８にスムーズに排出することもできる。
【００３０】
図９は他の実施の形態を示し、金属屋根材２の左右方向の中央部に、端子ボックス５３を収納する収納凹部１２を、水流れ方向に全長に亘って形成したものであり、図示省略しているが、収納凹部１２の軒側端部は下段の太陽電池４又は金属屋根材２上に開放されている。
従って、この場合も、金属屋根材２に収納凹部１２があるため、太陽電池４の端子ボックス５３を収納凹部１２に収納することにより、金属屋根材２に端子ボックス挿入窓を形成することなく、太陽電池４を金属屋根材２の上面に添って配置することができて、端子ボックス挿入窓が不要になり、このため端子ボックス挿入窓から雨水が漏水するようなことがなくなり、より確実な防水をすることができる。また、仮に金属屋根材２の収納凹部１２に雨水が侵入した場合には、侵入した雨水は収納凹部１２を軒側に向けて流れ、下段の太陽電池４又は金属屋根材２上に排水される。
【００３１】
図１０は他の実施の形態を示し、金属屋根材２前後方向の中央部に、端子ボックス５３を収納する収納凹部１２を、左右方向に全長に亘って形成したものであり、図示省略しているが、収納凹部１２の左右方向両端は図２に示す前記縦樋７に連通されている。
従って、この場合も、金属屋根材２に収納凹部があるため、太陽電池４の端子ボックス５３を収納凹部１２に収納するこにより、金属屋根材２に端子ボックス挿入窓を形成することなく、太陽電池４を金属屋根材２の上面にに添って配置することができて、端子ボックス挿入窓が不要になり、このため端子ボックス挿入窓から雨水が漏水するようなことがなくなり、より確実な防水をすることができる。また、金属屋根材２の収納凹部１２に仮に雨水が侵入した場合には、侵入した雨水は縦樋７に排水される。
【００３２】
図１１〜図１３は他の実施の形態を示し、金属屋根材２の中央部に、端子ボックス５３を挿通する挿通窓７１が設けられると共に、該挿通窓７１の棟側に水抜き孔７２が設けられ、金属屋根材２の下方に、水切り７３が設けられている。水切り７２は挿通窓７１及び水抜き孔７２の下方に位置し、水切り１７に、挿通窓７１から下方突出した端子ボックス５３を収納しており、挿通窓７１及び水抜き孔７２から漏水した雨水を水切り７３で受けて、下段の太陽電池モジュール１の金属屋根材２上に排水するようになっている。
【００３３】
図１４及び図１５は他の実施の形態を示し、金属屋根材２の中央部に、端子ボックス５３を挿通する挿通窓７１が設けられ、金属屋根材２の挿通窓７１の開口縁部に、円弧状の保持部７６が設けられ、この保持部７６にＯリングにより構成した防水シール７５が嵌合保持され、防水シール７５は挿通窓７１の開口縁部の全長に亘って設けられ、防水シール７５は太陽電池４の下面に密着されて、金属屋根材２の挿通窓７１の開口縁部と太陽電池４の下面との間を塞いでいる。この場合、防水シール７５により金属屋根材２の挿通窓７１の開口縁部と太陽電池４の下面との間を塞いで、雨水が挿通窓から金属屋根材２の下面側に漏れるのを防止する。
【００３４】
図１６は他の実施形態を示し、金属屋根材２に、端子ボックス５３を挿通する挿通窓７１が設けられ、金属屋根材２の挿通窓７１の開口縁部に、防水シール７５が、金属屋根材２の挿通窓７１の開口縁部と太陽電池４の下面との間を塞ぐように設けられている。この場合、防水シール７５により金属屋根材２の挿通窓７１の開口縁部と太陽電池４の下面との間を塞いで、雨水が挿通窓７１から金属屋根材２の下面側に漏れるのを防止する。
【００３５】
【発明の効果】
本発明によれば、端子ボックス挿入窓から雨水が漏水するようなことがなくなり、漏水のおそれのない太陽電池モジュールを提供し得る。
【図面の簡単な説明】
【図１】本発明の一実施の形態を示す金属屋根材部分の側面断面図である。
【図２】同分解斜視図である。
【図３】同側面断面図である。
【図４】同構成部材の位置関係を示す平面図である。
【図５】同野地板上に配置した太陽電池モジュールの配置状態を示す平面図である。
【図６】他の実施形態を示す金属屋根材部分の側面断面図である。
【図７】同金属屋根材の開口部部分の平面図である。
【図８】同収納凹部の平面図である。
【図９】他の実施形態を示す分解斜視図である。
【図１０】他の実施形態を示す斜視図である。
【図１１】他の実施形態を示す斜視図である。
【図１２】同側面断面図である。
【図１３】同水切り及び端子ボックスの斜視図である。
【図１４】他の実施形態を示す斜視図である。
【図１５】同側面断面図である。
【図１６】他の実施形態を示す側面断面図である。
【符号の説明】
１        太陽電池モジュール
２        金属屋根材
４        太陽電池
１２        収納凹部
５３        端子ボックス
７１        挿通窓
７２        水抜き孔
７３        水切り
７５        防水シール
８１        開口部
８２        取付片
８４ｂ      軒側接当部
８５ｂ      軒側傾斜壁
８７        係合片
８８        水抜き孔
８９        締結具
【図１】
0003809289.tif 000002
【図２】
0003809289.tif 000003
【図３】
0003809289.tif 000004
【図４】
0003809289.tif 000005
【図５】
0003809289.tif 000006
【図６】
0003809289.tif 000007
【図７】
0003809289.tif 000008
【図８】
0003809289.tif 000009
【図９】
0003809289.tif 000010
【図１０】
0003809289.tif 000011
【図１１】
0003809289.tif 000012
【図１２】
0003809289.tif 000013
【図１３】
0003809289.tif 000014
【図１４】
0003809289.tif 000015
【図１５】
0003809289.tif 000016
【図１６】
0003809289.tif 000017